(57)【要約】  本発明はターゲット基地局切り替えの方法を開示し、端末が属するソース基地局は１つ以上予備ターゲット基地局へ切り替え請求を送信した後、各の予備ターゲット基地局が負荷状態パラメータを前記ソース基地局に通知し、前記ソース基地局が各の予備ターゲット基地局の負荷状態パラメータによって1つのターゲット基地局を確定し、端末を前記ターゲット基地局に切り替えるように指示することを含む。本発明は、ある基地局を提供し、切り替え請求送信モジュール、切り替え請求応答受信モジュール、ターゲット基地局確定モジュール及び切り替え請求応答送信モジュールを含む。本発明は、切り替え請求が失敗している場合、基地局が再び請求する過程を回避することができ、切り替えの成功率を向上させ、切り替えの中断遅延を減少し、切り替え過程における重要性能指標を向上させる。
2013502771.tif 000002
【特許請求の範囲】
【請求項１】
ターゲット基地局切り替えの方法であって、
端末が属するソース基地局は、１つ以上の予備ターゲット基地局へ切り替え請求を送信した後、各の予備ターゲット基地局が負荷状態パラメータを前記ソース基地局に通知し、前記ソース基地局が、各の予備ターゲット基地局の負荷状態パラメータによってターゲット基地局を確定し、端末を前記ターゲット基地局に切り替えるように指示することを含むターゲット基地局切り替えの方法。
【請求項２】
前記予備ターゲット基地局は、負荷状態パラメータを前記ソース基地局に通知する前に、前記方法は、さらに、
前記予備ターゲット基地局が自身の負荷状態パラメータを計算すること、
前記負荷状態パラメータの値がシステムにより設置された負荷状態閾値よりも大きいことを判断すると、直接にソース基地局へまたは移動管理エンティティによってソース基地局へ切り替え請求応答メッセージを返し、これにより、前記ソース基地局に通知し、且つ前記切り替え請求応答メッセージに負荷状態パラメータが載せられること、及び、
前記負荷状態パラメータの値がシステムにより設置された負荷状態閾値よりも小さいことを判断すると、直接にソース基地局へ又は移動管理エンティティによってソース基地局へ切り替え請求応答メッセージを返し、これにより前記ソース基地局を通知し、且つ前記切り替え請求応答メッセージに前記負荷状態パラメータ及び端末切り替えに必要とする無線リソース配置情報が載せられることを含む請求項１記載の方法。
【請求項３】
前記ソース基地局が切り替え請求メッセージを送信した後、前記ソース基地局がタイマモジュールを起動し、
前記タイマモジュールの規定時間内に、前記切り替え請求応答メッセージを受信した後、前記のターゲット基地局を確定するステップは、前記負荷状態パラメータがシステムにより設置された負荷状態閾値の以下であることを判断すると、前記切り替え請求応答メッセージを送信する予備ターゲット基地局をターゲット基地局に確定することであり、
前記指示のステップは、前記無線リソース配置情報によって端末を前記ターゲット基地局に切り替えるように指示することであるをさらに含む請求項２に記載の方法。
【請求項４】
前記ソース基地局が切り替え請求メッセージを送信した後、前記ソース基地局がタイマモジュールを起動し、
タイマモジュールの規定時間内に、切り替え請求応答メッセージを受信した後、前記のターゲット基地局を確定するステップは、前記負荷状態パラメータのいずれもシステムにより設置された負荷状態閾値よりも大きい場合、前記ソース基地局は、各の負荷状態パラメータにおける取り値が最小である負荷状態パラメータが対応する予備ターゲット基地局をターゲット基地局とすることであり、
前記指示のステップは、前記ソース基地局が前記ターゲット基地局から端末切り替えに必要とする無線リソース配置情報を取得し、且つ前記無線リソース配置情報によって端末を前記ターゲット基地局に切り替えるように指示することであることをさらに含む請求項２に記載の方法。
【請求項５】
前記負荷状態パラメータは、予備ターゲット基地局負荷量の数値、予備ターゲット基地局負荷量とシステムにより設置された固定負荷量とのパーセント値、予備ターゲット基地局負荷量のレベルのうちの一種である請求項２又は３に記載の方法。
【請求項６】
前記負荷状態パラメータが予備ターゲット基地局負荷量のレベルであり、負荷量によって小さいから大きいまでの対応のレベルが次第にレベル1、レベル2、レベル3、レベル4であり、前記システムにより設置された負荷状態閾値がレベル2よりも大きく、且つレベル3よりも小さいレベル閾値である請求項２又は３に記載の方法。
【請求項７】
基地局であって、
切り替え請求送信モジュール、切り替え請求応答受信モジュール、ターゲット基地局確定モジュール及び切り替え請求応答送信モジュールを含み、
前記切り替え請求送信モジュールは、前記基地局が、端末が属するソース基地局とする場合、１つ以上の予備ターゲット基地局へ切り替え請求メッセージを送信するように設置され、
前記切り替え請求応答受信モジュールは、前記基地局が、端末が属するソース基地局とする場合、予備ターゲット基地局が返した切り替え請求応答メッセージを受信し、且つ切り替え請求応答メッセージに載せられた負荷状態パラメータを解析するように設置され、
前記ターゲット基地局確定モジュールは、前記基地局が、端末が属するソース基地局とする場合、前記切り替え請求応答受信モジュールが解析された各の予備ターゲット基地局の負荷状態パラメータによって１つのターゲット基地局を確定し、且つ端末を前記ターゲット基地局に切り替えるように指示するように設置され、
前記切り替え請求応答送信モジュールは、前記基地局が端末の予備ターゲット基地局とする場合、切り替え請求メッセージを受信した後、ソース基地局へ負荷状態パラメータが載せられた切り替え請求応答メッセージを返すように設置される基地局。
【請求項８】
前記切り替え請求応答送信モジュールは、前記基地局が端末の予備ターゲット基地局とする場合、さらに、ソース基地局が送信された切り替え請求を受信した後、前記予備ターゲット基地局の負荷状態パラメータを計算するように設置され、
前記負荷状態パラメータの値がシステムにより設置された負荷状態閾値よりも大きいことを判断すると、直接にソース基地局へ又は移動管理エンティティによってソース基地局へ切り替え請求応答メッセージを返し、且つ前記切り替え請求応答メッセージに前記負荷状態パラメータが載せられ、
前記負荷状態パラメータの値が前記システムにより設置された負荷状態閾値の以下であることを判断すると、直接にソース基地局へ又は移動管理エンティティによってソース基地局へ切り替え請求応答メッセージを返し、前記切り替え請求応答メッセージに前記負荷状態パラメータ及び端末切り替えに必要とする無線リソース配置情報を返す請求項７に記載の基地局。
【請求項９】
前記基地局は、ターゲット基地局確定モジュールと切り替え請求送信モジュールとのいずれも接続するタイマモジュールをさらに含み、
前記切り替え請求送信モジュールは、さらに、前記タイマモジュールへトリガメッセージを送信するように設置され、
前記タイマモジュールは、トリガメッセージを受信した後、起動して且つ時間を計算し始めるように設置され、
前記ターゲット基地局確定モジュールは、さらに、前記タイマモジュールの規定時間内に前記切り替え請求応答メッセージを受信した後、前記負荷状態パラメータが前記システムにより設置された負荷状態閾値の以下であることを判断すると、前記切り替え請求応答メッセージを送信する予備ターゲット基地局をターゲット基地局に確定し、且つ前記無線リソース配置情報によって端末を前記ターゲット基地局に切り替えるように指示するように設置される請求項８に記載の基地局。
【請求項１０】
前記基地局は、さらに、ターゲット基地局確定モジュールと切り替え請求送信モジュールとのいずれも接続されたタイマモジュールを含み、
前記切り替え請求送信モジュールは、さらに、前記タイマモジュールへトリガメッセージを送信するように設置され、
前記タイマモジュールは、前記トリガメッセージを受信した後、起動し且つ時間を計算し始めるように設置され、
前記ターゲット基地局確定モジュールは、さらに、前記タイマモジュールの規定時間内に切り替え請求応答メッセージを受信した後、各の切り替え請求応答メッセージに載せられた負荷状態パラメータがいずれもシステムにより設置された負荷状態閾値よりも大きいことを判断すると、ソース基地局が、各の負荷状態パラメータにおける取り値が最小である負荷状態パラメータの対応の予備ターゲット基地局をターゲット基地局として、前記ターゲット基地局から取得した端末切り替えに必要とする無線リソース配置情報によって端末を前記ターゲット基地局に切り替えるように指示するように設置される請求項８に記載の基地局。
【発明の詳細な説明】
【技術分野】
【０００１】
本発明は無線通信システムに関し、特にロングタームエボリューション（Long Term Evolution，LTEと略称する）システムにおける端末切り替え方法及び基地局に関する。
【背景技術】
【０００２】
図1に示すように、第三世代移動通信ロングタームエボリューションシステムにおいて、基地局X2インターフェースに基づく切り替え方法は、端末が基地局の間で切り替えを行う必要がある場合、端末が属するソース基地局は、端末の隣接基地局に対する測定結果によって、ターゲット基地局を選択して、このターゲット基地局へ切り替え請求メッセージ（この情報はソース基地局標識、基地局切り替えタイプ、ソースセル情報及び切り替え端末標識等の情報を含む）を送信し、これにより、リソースを請求し、ターゲット基地局が切り替え許可評価を行って、端末をターゲット基地局に切り替えるために、関連のリソース配布（切り替え端末のターゲットセルでのアクセスパラメータ等）を行い、且つソース基地局へ切り替え請求応答メッセージを返すことを含む。
【０００３】
図2に示すように、第三世代移動通信ロングタームエボリューションシステムにおいて、基地局S1インターフェースに基づく切り替え方法は、端末が基地局の間で切り替えを行う必要がある場合、端末が属するソース基地局は、端末の隣接基地局に対する測定結果によって、ターゲット基地局を選択して、ソース基地局は、移動管理エンティティ（Mobility Management Entity，MMEと略称する）によって単一ターゲット基地局へリソースをアプリケーションし、即ちソース基地局は、切り替え請求メッセージ（この情報はソース基地局標識、基地局切り替えタイプ、ソースセル情報及び切り替え端末標識等の情報）を移動管理エンティティに送信し、さらに、移動管理エンティティによってターゲット基地局に転送し、ターゲット基地局が切り替え許可評価を行って、端末をターゲット基地局に切り替えるために、関連リソース配布（切り替え端末のターゲットセルでのアクセスパラメータ等）を行って、移動管理エンティティへ切り替え請求応答メッセージを返し、移動管理エンティティが切り替え命令の方向で切り替え請求応答メッセージをソース基地局に転送することを含む。
【０００４】
上記の従来の方法において、ターゲット基地局の評価結果が切り替ええられない際、ソース基地局が再びターゲット基地局を選択する必要があり、再び切り替え請求メッセージを送信し、このように、端末の切り替えを緩慢になって、且つ切り替え遅延を増大し、切り替え効率を低下し、且つ切り替えを行う際の重要性能指標（Key Performance Indicators，KPIと略称する）を下げる。
【発明の概要】
【発明が解決しようとする課題】
【０００５】
本発明は解決しようとする技術問題は端末切り替え方法及び基地局を提供し、切り替えの成功率を向上させ、切り替えの中断、遅延を減少する。
【課題を解決するための手段】
【０００６】
上記問題を解決するために、本発明は、ターゲット基地局切り替えの方法を提供し、端末が属するソース基地局は、１つ以上の予備ターゲット基地局へ切り替え請求を送信した後、各の予備ターゲット基地局が負荷状態パラメータを前記ソース基地局に通知し、前記ソース基地局が、各の予備ターゲット基地局の負荷状態パラメータによってターゲット基地局を確定し、端末を前記ターゲット基地局に切り替えるように指示することを含む。
上記方法は、以下の特徴をさらに有する：
前記予備ターゲット基地局は、負荷状態パラメータを前記ソース基地局に通知する前に、前記方法は、さらに、
前記予備ターゲット基地局が自身の負荷状態パラメータを計算すること、
前記負荷状態パラメータの値がシステムにより設置された負荷状態閾値よりも大きいことを判断すると、直接にソース基地局へまたは移動管理エンティティによってソース基地局へ切り替え請求応答メッセージを返し、これにより、前記ソース基地局に通知し、且つ前記切り替え請求応答メッセージに負荷状態パラメータが載せられること、及び、
前記負荷状態パラメータの値がシステムにより設置された負荷状態閾値よりも小さいことを判断すると、直接にソース基地局へ又は移動管理エンティティによってソース基地局へ切り替え請求応答メッセージを返し、これにより前記ソース基地局を通知し、且つ前記切り替え請求応答メッセージに前記負荷状態パラメータ及び端末切り替えに必要とする無線リソース配置情報が載せられることを含む。
【０００７】
上記方法は以下の特徴をさらに有する：
前記ソース基地局が切り替え請求メッセージを送信した後、前記ソース基地局がタイマモジュールを起動し、
前記タイマモジュールの規定時間内に、前記切り替え請求応答メッセージを受信した後、前記のターゲット基地局を確定するステップは、前記負荷状態パラメータがシステムにより設置された負荷状態閾値の以下であることを判断すると、前記切り替え請求応答メッセージを送信する予備ターゲット基地局をターゲット基地局に確定することであり、
前記指示のステップは、前記無線リソース配置情報によって端末を前記ターゲット基地局に切り替えるように指示することである。
【０００８】
上記方法は以下の特徴をさらに有する：
前記ソース基地局が切り替え請求メッセージを送信した後、前記ソース基地局がタイマモジュールを起動し、
タイマモジュールの規定時間内に、切り替え請求応答メッセージを受信した後、前記のターゲット基地局を確定するステップは、前記負荷状態パラメータのいずれもシステムにより設置された負荷状態閾値よりも大きい場合、前記ソース基地局は、各の負荷状態パラメータにおける取り値が最小である負荷状態パラメータが対応する予備ターゲット基地局をターゲット基地局とすることであり、
前記指示のステップは、前記ソース基地局が前記ターゲット基地局から端末切り替えに必要とする無線リソース配置情報を取得し、且つ前記無線リソース配置情報によって端末を前記ターゲット基地局に切り替えるように指示することである。
【０００９】
上記方法は以下の特徴をさらに有する：
前記負荷状態パラメータは、予備ターゲット基地局負荷量の数値、予備ターゲット基地局負荷量とシステムにより設置された固定負荷量とのパーセント値、予備ターゲット基地局負荷量のレベルのうちの一種である。
【００１０】
上記方法は以下の特徴をさらに有する：
前記負荷状態パラメータが予備ターゲット基地局負荷量のレベルであり、負荷量によって小さいから大きいまでの対応のレベルが次第にレベル1、レベル2、レベル3、レベル4であり、前記システムにより設置された負荷状態閾値がレベル2よりも大きく、且つレベル3よりも小さいレベル閾値である。
【００１１】
上記技術問題を解決するために、本発明は、基地局を提供し、切り替え請求送信モジュール、切り替え請求応答受信モジュール、ターゲット基地局確定モジュール及び切り替え請求応答送信モジュールを含み、
前記切り替え請求送信モジュールは、前記基地局が、端末が属するソース基地局とする場合、１つ以上の予備ターゲット基地局へ切り替え請求メッセージを送信するように設置され、
前記切り替え請求応答受信モジュールは、前記基地局が、端末が属するソース基地局とする場合、予備ターゲット基地局が返した切り替え請求応答メッセージを受信し、且つ切り替え請求応答メッセージに載せられた負荷状態パラメータを解析するように設置され、
前記ターゲット基地局確定モジュールは、前記基地局が、端末が属するソース基地局とする場合、前記切り替え請求応答受信モジュールが解析された各の予備ターゲット基地局の負荷状態パラメータによって１つのターゲット基地局を確定し、且つ端末を前記ターゲット基地局に切り替えるように指示するように設置され、
前記切り替え請求応答送信モジュールは、前記基地局が端末の予備ターゲット基地局とする場合、切り替え請求メッセージを受信した後、ソース基地局へ負荷状態パラメータが載せられた切り替え請求応答メッセージを返すように設置される。
【００１２】
上記基地局は、以下の特徴をさらに有する：
前記切り替え請求応答送信モジュールは、前記基地局が端末の予備ターゲット基地局とする場合、さらに、ソース基地局が送信された切り替え請求を受信した後、前記予備ターゲット基地局の負荷状態パラメータを計算するように設置され、
前記負荷状態パラメータの値がシステムにより設置された負荷状態閾値よりも大きいことを判断すると、直接にソース基地局へ又は移動管理エンティティによってソース基地局へ切り替え請求応答メッセージを返し、且つ前記切り替え請求応答メッセージに前記負荷状態パラメータが載せられ、
前記負荷状態パラメータの値が前記システムにより設置された負荷状態閾値の以下であることを判断すると、直接にソース基地局へ又は移動管理エンティティによってソース基地局へ切り替え請求応答メッセージを返し、前記切り替え請求応答メッセージに前記負荷状態パラメータ及び端末切り替えに必要とする無線リソース配置情報を返す。
【００１３】
上記基地局は、以下の特徴をさらに有する：
前記基地局は、ターゲット基地局確定モジュールと切り替え請求送信モジュールとのいずれも接続するタイマモジュールをさらに含み、
前記切り替え請求送信モジュールは、さらに、前記基地局が、端末が属するソース基地局とする場合、１つ以上の予備ターゲット基地局へ切り替え請求メッセージを送信した後、タイマへトリガメッセージを送信するように設置され、
前記タイマモジュールは、前記切り替え請求送信モジュールのトリガメッセージを受信した後、起動して且つ時間を計算し始めるように設置され、
前記ターゲット基地局確定モジュールは、さらに、前記タイマモジュールの規定時間内に前記切り替え請求応答メッセージを受信した後、この切り替え請求応答メッセージに載せられた負荷状態パラメータがシステムにより設置された負荷状態閾値の以下であることを判断すると、この切り替え請求応答メッセージを送信する予備ターゲット基地局をターゲット基地局に確定し、且つこの切り替え請求応答メッセージに載せられた無線リソース配置情報によって端末を前記ターゲット基地局に切り替えるように指示するように設置される。
【００１４】
上記基地局は、以下の特徴をさらに有する：
前記基地局は、さらに、ターゲット基地局確定モジュールと切り替え請求送信モジュールとのいずれも接続されたタイマモジュールを含み、
前記切り替え請求送信モジュールは、さらに、前記基地局が、端末が属するソース基地局とする場合、１つ以上の予備ターゲット基地局へ切り替え請求メッセージを送信した後、タイマへトリガメッセージを送信するように設置され、
前記タイマモジュールは、前記切り替え請求送信モジュールのトリガメッセージを受信した後、起動し且つ時間を計算し始めるように設置され、
前記ターゲット基地局確定モジュールは、さらに、前記タイマモジュールの規定時間内に切り替え請求応答メッセージを受信した後、各の切り替え請求応答メッセージに載せられた負荷状態パラメータがいずれもシステムにより設置された負荷状態閾値よりも大きいことを判断すると、ソース基地局が、各の負荷状態パラメータにおける取り値が最小である負荷状態パラメータの対応の予備ターゲット基地局をターゲット基地局として、ターゲット基地局から端末切り替えに必要とする無線リソース配置情報を取得し、且つこの無線リソース配置情報によって端末を前記ターゲット基地局に切り替えるように指示するように設置される。
【発明の効果】
【００１５】
本発明の方法は、切り替え請求が失敗している場合、基地局が再び請求する過程を回避することができ、切り替えの成功率を向上させ、切り替えの中断遅延を減少し、切り替え過程における重要性能指標を向上させる。
【図面の簡単な説明】
【００１６】
【図１】従来の技術における基地局X2インターフェースに基づく端末切り替え方法の模式図である。
【図２】従来の技術における基地局S1インターフェースに基づく端末切り替え方法の模式図である。
【図３】実施例における基地局の構造模式図である。
【図４】実施例における端末切り替え方法のフローチャートである。
【発明を実施するための形態】
【００１７】
図3に示すように、本実施例に、基地局は、切り替え請求送信モジュール、タイマモジュール、切り替え請求応答受信モジュール、ターゲット基地局確定モジュールを含み、さらに、切り替え請求応答送信モジュールを含み、
切り替え請求送信モジュールは、基地局が、端末が属するソース基地局とする場合、１つ以上の予備ターゲット基地局へ切り替え請求メッセージを送信し、且つタイマモジュールへトリガメッセージを送信することに用いられ、
タイマモジュールは、切り替え請求送信モジュールのトリガメッセージを受信した後、起動し且つ時間を計算し始めることに用いられ、
切り替え請求応答受信モジュールは、基地局が、端末が属するソース基地局とする場合、予備ターゲット基地局が返した切り替え請求応答メッセージを受信し、且つ切り替え請求応答メッセージに載せられた負荷状態パラメータを解析することに用いられ、
ターゲット基地局確定モジュールは、基地局が、端末が属するソース基地局とする場合、タイマモジュールの規定時間内に切り替え請求応答メッセージを受信した後、この切り替え請求応答メッセージに載せられた負荷状態パラメータがシステムにより設置された負荷状態閾値の以下であることを判断すると、この切り替え請求応答メッセージを送信する予備ターゲット基地局をターゲット基地局に確定し、タイマモジュールの規定時間内に切り替え請求応答メッセージを受信した後、各の切り替え請求応答メッセージに載せられた負荷状態パラメータのいずれもシステムにより設置された負荷状態閾値よりも大きいことを判断すると、ソース基地局は各の負荷状態パラメータにおける取り値が最小である負荷状態パラメータの対応の予備ターゲット基地局をターゲット基地局とすることに用いられる。
【００１８】
切り替え請求応答送信モジュールは、基地局が端末予備ターゲット基地局とする場合、さらに、ソース基地局が送信した切り替え請求を受信した後、この予備ターゲット基地局の負荷状態パラメータを計算し、この負荷状態パラメータの値がシステムにより設置された負荷状態閾値よりも大きいことを判断すると、直接にソース基地局へ又は移動管理エンティティによってソース基地局へ切り替え請求応答メッセージを返し、且つ切り替え請求応答メッセージに負荷状態パラメータが載せられ、この負荷状態パラメータの値がシステムにより設置された負荷状態閾値の以下であることを判断すると、直接にソース基地局へ又は移動管理エンティティによってソース基地局へ切り替え請求応答メッセージを返し、切り替え請求応答メッセージに負荷状態パラメータ及び端末切り替えに必要とする無線リソース配置情報が載せられる。前記負荷状態パラメータは、予備ターゲット基地局負荷量の数値、予備ターゲット基地局負荷量とシステムにより設置された固定負荷量とのパーセント値、予備ターゲット基地局負荷量のレベルのうちの一種である。
【００１９】
〔実施例1〕
実施例1における基地局x2インターフェースに基づく切り替えの状況である。
【００２０】
図4に示すように、基地局切り替え方法は、以下のステップを含み：
ステップ401、ソース基地局は、端末が相隣接基地局に対する測定結果によって、複数の相隣接基地局の中からM個の切り替えに適当する予備ターゲット基地局を選択し、このM個の予備ターゲット基地局へ同時に切り替え請求メッセージを送信し、且つタイマモジュールを起動し、
切り替えに適当するM個の予備ターゲット基地局を選択する一般的な原則は、ソース基地局が切り替え条件を満足するすべての基地局の中から端末で測定した信号品質（例えばパイロット信号）が最良である前のM個を予備ターゲット基地局とすることである。Mがシステム構造又はリンク状態によって配置できるパラメータであり、Mが1の以上の整数であり、例えばMが3である。
【００２１】
ソース基地局が送信した切り替え請求メッセージは、3GPP R8標準に定義された切り替え請求メッセージであってもよく、この切り替え請求メッセージにソースセル情報及び切り替え端末情報が載せられる。
【００２２】
ステップ402、予備ターゲット基地局は、ソース基地局が送信した切り替え請求を受信した後、ソース基地局へ切り替え請求応答メッセージを返し、且つこの切り替え請求応答メッセージにこの予備ターゲット基地局の負荷状態パラメータが載せられる。
【００２３】
予備ターゲット基地局は、アドミッションコントロールアルゴリズム及び負荷アルゴリズム（主に物理リソースブロックの使用率を考える）によってこの予備ターゲット基地局の負荷状態パラメータを計算する。この負荷状態パラメータは、予備ターゲット基地局の負荷状況を解説することに用いられ、多種の表示様態を有することができる。この負荷状態パラメータは、基地局の負荷量の数値であってもよく、基地局負荷量とシステムにより設置された固定負荷量とのパーセント値であってもよく、相対数値、例えば予備ターゲット基地局負荷量のレベルであってもよい。負荷状態パラメータがレベルパラメータである場合、基地局負荷量を、小さいから大きいまでN個のゾーンに区分し、N個のレベルに対応して、Nが2以上の整数である。例えば、Nを4とする場合を例として、負荷により指示された選択可能なレベルは、負荷量によって小さいから大きいまで、レベル1（軽度レベルとも称する）、レベル2（中度レベルとも称する）、レベル3（重度レベルとも称する）、レベル4（超重度レベルとも称する）を含む。
【００２４】
予備ターゲット基地局は、算出した予備ターゲット基地局の負荷状態パラメータがシステムにより設置された負荷状態閾値の以下であることを判断すると、ソース基地局へ返す切り替え請求応答メッセージに負荷状態パラメータが載せられた以外、さらに、端末切り替えに必要とする無線リソース配置情報が載せられる。予備ターゲット基地局は、算出した予備ターゲット基地局の負荷状態パラメータがシステムにより設置された負荷状態閾値よりも大きいことを判断すると、返した切り替え請求応答メッセージにこの負荷状態パラメータが載せられ、この際、切り替え請求応答メッセージが切り替え請求メッセージを受信したことのみを確認することに用いられる。
【００２５】
負荷状態パラメータは、基地局負荷量の数値で表示されると、システムにより設置された負荷状態閾値も1つの基地局負荷量の具体的な値である。
【００２６】
負荷状態パラメータがレベルで表示されると、Nが4とすることを例として、システムにより設置された負荷状態閾値がレベル2よりも大きく且つレベル3よりも小さいレベル閾値であり、負荷状態パラメータがレベル1又はレベル2である場合、ソース基地局へ返した切り替え請求応答メッセージに負荷状態パラメータが載せられた以外、さらに、端末切り替えに必要とする無線リソース配置情報が載せられ、負荷状態パラメータがレベル3又はレベル4であると、返した切り替え請求応答メッセージにこの負荷状態パラメータが載せられる。
【００２７】
ステップ403、ソース基地局は、切り替え請求応答メッセージを受信した後、切り替え請求応答メッセージにおける負荷状態パラメータが、端末の切り替える必要があるターゲット基地局を確定し、端末をソース基地局からこのターゲット基地局に切り替える。
【００２８】
ソース基地局は、タイマ時間内に切り替え請求応答メッセージを受信した後、この切り替え請求応答メッセージに載せられた負荷状態パラメータがシステムにより設置された負荷状態閾値の以下であることを判断すると、この切り替え請求応答メッセージを送信する予備ターゲット基地局を、ターゲット基地局に確定し、直接に端末へ切り替え命令を送信し、この切り替え請求応答メッセージに載せられた端末切り替えに必要とする無線リソース配置情報によって端末を前記ターゲット基地局に切り替えるように指示する。
【００２９】
ソース基地局は、もうターゲット基地局を確定した後、さらに、続けてそのほかの予備ターゲット基地局が送信した切り替え請求応答メッセージを受信し、且つ切り替え請求応答メッセージに載せられた負荷状態パラメータがシステムにより設置された負荷状態閾値よりも大きいである場合、ソース基地局は、この切り替え請求応答メッセージを送信する予備ターゲット基地局へ切り替え失敗メッセージを送信し、又はいずれの処理をしない。
【００３０】
ソース基地局は、タイマモジュールの規定時間内に受信した切り替え請求応答メッセージに載せられた負荷状態パラメータのいずれもシステムにより設置された負荷状態閾値よりも大きいである場合、ソース基地局が各の負荷状態パラメータにおける取り値が最小である負荷状態パラメータの対応の予備ターゲット基地局をターゲット基地局として、ターゲット基地局へ切り替え請求応答確認を送信し、ターゲット基地局から端末切り替えに必要とする無線リソース配置情報を取得し、且つこの無線リソース配置情報によって端末をターゲット基地局に切り替えるように指示する。
【００３１】
例えば、負荷状態パラメータが基地局負荷量の数値で表示される場合、ソース基地局がタイマ時間内に受信した切り替え請求応答メッセージに載せられた負荷量がシステムにより設置された負荷量閾値の以下である場合、直接にUEへ切り替え命令を送信し、ソース基地局がタイマ時間内に受信した切り替え請求応答メッセージに載せられた負荷量のいずれもシステムにより設置された負荷量閾値よりも大きいである場合、ソース基地局が送信した切り替え請求応答メッセージにおける負荷量数値が最小である予備ターゲット基地局へ切り替え請求応答確認を送信する。
【００３２】
さらに、例えば、負荷状態パラメータは、4つのレベル（即ち上記のレベル1〜4）を含む場合、ソース基地局がタイマ時間内に受信した切り替え請求応答メッセージに載せられた負荷状態パラメータがレベル1又はレベル2である場合、直接にUEへ切り替え命令を送信する。ソース基地局がタイマ時間内に受信した切り替え請求応答メッセージに載せられた負荷状態パラメータがいずれもレベル3又はレベル4であると、ソース基地局が送信した切り替え請求応答メッセージにおける負荷状態パラメータがレベル3である予備ターゲット基地局へ切り替え請求応答確認を送信する。
【００３３】
さらに、例えば、負荷状態パラメータは、3個のレベル（負荷量が小さいから大きいまでの対応のレベルがレベル1、レベル2、レベル3である）を含む場合、ソース基地局がタイマ時間内に受信した切り替え請求応答メッセージに載せられた負荷状態パラメータがレベル1である場合、直接にUEへ切り替え命令を送信する。ソース基地局がタイマ時間内に受信した切り替え請求応答メッセージに載せられた負荷状態パラメータがいずれもレベル2又はレベル3であると、ソース基地局は、送信した切り替え請求応答メッセージにおける負荷状態パラメータがレベル2である予備ターゲット基地局へ切り替え請求応答確認を送信する。
【００３４】
上記切り替え方法において、ソース基地局がタイマモジュールの規定時間内にターゲット基地局を確定することができ、切り替え請求が失敗している際、基地局が再び請求する過程を回避することができ、切り替えの成功率を向上させ、切り替えの中断遅延を減少することができる。
【００３５】
〔実施例2〕
実施例2において、基地局S1インターフェースに基づく切り替えの状況は以下のようである。切り替え方法が実施例1との異なっている箇所は主に、ソース基地局が予備ターゲット基地局へ切り替え請求メッセージを送信する過程が、ソース基地局が切り替え請求メッセージをMMEに送信し、MMEによって予備ターゲット基地局に転送し、予備ターゲット基地局が返された切り替え請求応答メッセージもMMEによってソース基地局に転送することであるものである。
【００３６】
以上の記載には、ただ本発明の好ましい実施例のみであり、本発明を限定するものではなく、従業員にとって、本発明が各種の変更および変化を有することができる。本発明の精神及び原則の内におけるいずれも修正、同等切り替え、改善などが、いずれも本発明の保護範囲に含まれるべきである。
【産業上の利用可能性】
【００３７】
本発明は、端末切り替え方法及び基地局を提供し、切り替え請求が失敗している場合、基地局が再び請求する過程を回避することができ、切り替えの成功率を向上させ、切り替えの中断遅延を減少し、切り替え過程における重要性能指標を向上させる。
【図１】
2013502771.tif 000003
【図２】
2013502771.tif 000004
【図３】
2013502771.tif 000005
【図４】
2013502771.tif 000006
【国際調査報告】
2013502771.tif 000007
2013502771.tif 000008
2013502771.tif 000009
2013502771.tif 000010